(57)【要約】【課題】折り畳まれた状態から容易に組み立て可能な包装箱において、資材の省力化を図る。【解決手段】矩形状の四辺を有する４面の側面部２０，４０，６０，８０が、各々隣接する側面部に連設され、各側面部の底辺からそれぞれ延出された底面部３０，５０，７０，９０を有し、前記底面部は、包装箱の対向する一対の角部において、隣接する底面部同士が接合すると共に、前記一対の角部における底面部の外端から内端に亘り形成された折目線３３，７３及び側面部の辺に沿って扁平状に折り畳まれた際に各底面部が各側面部と面一状になるよう形成され、他の対向する一対の角部において隣接する底面部同士は、包装箱が組み立てられた際には係合すると共に折り畳まれた際には係脱する係合部５２，９２を有する包装箱。【選択図】  図１
2005015025.tif 000002
【特許請求の範囲】
【請求項１】
矩形状の四辺を有する４面の側面部が、各々隣接する側面部に連設され、
各側面部の底辺からそれぞれ延出された底面部を有し、
前記底面部は、包装箱の対向する一対の角部において、隣接する底面部同士が接合すると共に、前記一対の角部における底面部の外端から内端に亘り形成された折目線及び側面部の辺に沿って扁平状に折り畳まれた際に各底面部が各側面部と面一状になるよう形成され、
他の対向する一対の角部において隣接する底面部同士は、包装箱が組み立てられた際には係合すると共に折り畳まれた際には係脱する係合部を有する包装箱。
【請求項２】
前記各側面部から延出された底面部は、隣接する側面部の幅の２分の１以下の幅に形成されている請求項１に記載の包装箱。
【請求項３】
前記底面部の係合部は、前記他の対向する一対の角部において、各底面部に、隣接する底面部方向に臨む突片と、隣接する底面部の突片に対応する凹部と、を備え、
各突片は、包装箱が前記扁平状から組み立てられる過程において、対応する各凹部を通過し、包装箱が組み立てられた際には、隣接する各底面部の表面上に位置する請求項１又は２に記載の包装箱。
【発明の詳細な説明】
【０００１】
【発明の属する技術分野】
本発明は、折り畳まれた状態から容易に組み立て可能な包装箱に関する。
【０００２】
【従来の技術】
折り畳まれた状態から容易に組み立て可能な包装箱としては、例えば、図６〜図８に示す包装箱が考えられる。
すなわち、この包装箱は、矩形状の側面部１２０，１４０，１６０，１８０と、各側面部の下端辺から延出された底面部１３０，１５０，１７０，１９０と、を備える。
【０００３】
そして、包装箱を組み立てた際には、底面部１３０の凸部１３８と、底面部１７０の凹部１７９とが対応し、また、底面部１７０の凸部１７８と、底面部１３０の凹部１３９とが対応し、両底面部１３０，１７０が係合するようになっている。
なお、底面部１３０の折目線１３３より外側の突片１３２は、底面部１５０に貼着されるものであり、また、底面部１７０の折目線１７３より外側の突片１７２は、底面部１９０に貼着されるものである。
【０００４】
そして、包装箱を角部１０３，１０５にて中折れとなるように扁平状に折り畳んだ状態では、前記底面部１３０と底面部１７０の係合が解除するとともに、包装箱を組み立てた際には、底面部１３０と底面部１７０が係合するように構成されている。
【０００５】
【発明が解決しようとする課題】
本発明者は、折り畳まれた状態から容易に組み立て可能な包装箱に関して鋭意研究の結果、資材の省力化を図る観点から、更なる改良を試みた。
【０００６】
本発明は、折り畳まれた状態から容易に組み立て可能な包装箱において、資材の省力化を図れる包装箱を提供することを目的とする。
また、折り畳まれた状態から容易に組み立て可能な包装箱において、保形成の優れた包装箱を提供することを目的とする。
【０００７】
【課題を解決するための手段】
本発明は、矩形状の四辺を有する４面の側面部が、各々隣接する側面部に連設され、各側面部の底辺からそれぞれ延出された底面部を有し、前記底面部は、包装箱の対向する一対の角部において、隣接する底面部同士が接合すると共に、前記一対の角部における底面部の外端から内端に亘り形成された折目線及び側面部の辺に沿って扁平状に折り畳まれた際に各底面部が各側面部と面一状になるよう形成され、他の対向する一対の角部において隣接する底面部同士は、包装箱が組み立てられた際には係合すると共に折り畳まれた際には係脱する係合部を有する包装箱とした。
ここで、各底面部が各側面部と面一状になるとは、底面部と側面部とが重なり合った状態を含む意味である。また、前記係合部は、前記他の対向する一対の角部において隣接する底面部のそれぞれに形成されている。
【０００８】
前記各側面部から延出された底面部は、隣接する側面部の幅の２分の１以下の幅に形成することができる。
また、前記底面部の係合部は、前記他の対向する一対の角部において、各底面部に、隣接する底面部方向に臨む突片と、隣接する底面部の突片に対応する凹部と、を備え、各突片は、包装箱が前記扁平状から組み立てられる過程において、対応する各凹部を通過し、包装箱が組み立てられた際には、隣接する各底面部の表面上に位置するよう構成することができる。
【０００９】
【発明の実施の形態】
以下、本発明の実施の形態を図１〜図５の図面に基づいて説明する。
図１は、本発明の実施の形態に係る包装箱の展開図である。
本実施の形態の包装箱は紙材により構成されている。また、包装箱は組み立てた際に直方体形状となるものであり、矩形状の４つの側面部を備えている。すなわち、側面部２０は、底辺２１、左側辺２２、右側辺２４、上辺２３を有し、この側面部２０に連設される側面部４０は、底辺４１、左側辺（側面部２０の右側辺と同一）２４、右側辺４４、上辺４３を有する。また、側面部４０に連設される側面部６０は、底辺６１、左側辺（側面部４０の右側辺と同一）４４、右側辺６４、上辺６３を有し、さらにこの側面部６０に連設される側面部８０は、底辺８１、左側辺（側面部６０の右側辺と同一）６４、右側辺８４、上辺８３を有する。
【００１０】
そして、側面部２０の底辺２１からは底面部３０が延設されると共に、側面部４０の底辺４１からは底面部５０が延設されている。また、側面部６０の底辺６１からは底面部７０が延設されると共に、側面部８０の底辺８１からは底面部９０が延設されている。
前記底面部３０の右端部には、隣接する底面部５０の左端部に貼着される接合部３２が、折目線３３の外側に形成されている。また、前記底面部７０の右端部には、隣接する底面部９０の左端部に貼着される接合部７２が、折目線７３の外側に形成されている。
【００１１】
前記折目線３３は、底辺２１の右端部から端辺３５にかけて形成されており、また、前記折目線７３は、底辺８１の右端部から端辺９５にかけて形成されている。
一方、前記底面部５０の右端部、及び、隣接する底面部７０の左端部には、両者を係合する係合部５２が形成されている。係合部５２の底面部５０側の構成は、底面部５０の下端辺５５側に形成された突片５６と、この突片５６の基端５４から底辺４１（右側辺４４）に亘って形成された側辺５３により形成された凹部５１と、を備えるものとなっている。また、係合部５２の底面部７０側の構成は、底面部７０の左端部に形成された突片７９と、この突片７９の基端７６から下端辺７５に亘って形成された辺７８により形成された凹部７７と、を備えるものとなっている。
【００１２】
同様に、前記底面部９０の右端部、及び、隣接する底面部３０の左端部には、両者を係合する係合部９２が形成されている。係合部９２の底面部９０側の構成は、底面部９０の下端辺９５側に形成された突片９６と、この突片９６の基端９４から底辺８１に亘って形成された側辺９３により形成された凹部９１と、を備えるものとなっている。また、係合部９２の底面部３０側の構成は、底面部３０の左端部に形成された突片３９と、この突片３９の基端３６から下端辺３５に亘って形成された辺３８により形成された凹部３７と、を備えるものとなっている。
【００１３】
また、底面部３０の底辺２１から端辺３５までの幅は、側面部４０の底辺４１の長さの２分の１に形成されている。同様に、底面部６０の底辺６１から端辺７５までの幅は、側面部８０の底辺８１の長さの２分の１に形成されている。そして、前記各底面部３０，５０，７０，９０の幅は、同一の幅に形成されている。なお、前記突片３９及び突片７９は、端辺３５及び端辺７５よりも若干底辺２１及び底辺６１側寄りに形成されている。
【００１４】
また、前記側面部２０の左端には、側面部８０に貼り付けるための接合部２９が形成されている。また、側面部２０の上辺２３からは天面２５が延出されるとともに、側面部４０の上辺４３からは天面４５が延出されている。さらに、側面部６０の上辺６３からは天面６５が延出されるとともに、側面部８０の上辺８３からは天面８５が延出されている。
【００１５】
次に、本実施形態の包装箱の非使用（折り畳み）状態及び使用（組み立て）状態の説明をする。
包装箱は、角部３及び角部５にて中折りに畳まれて、非使用状態となる。すなわち、包装箱は、側面部２０の右側辺２４（側面部４０の左側辺）及び折目線３３、並びに、側面部６０の右側辺６４（側面部８０の左側辺）及び折目線７３に沿って、側面部２０の内壁と側面部６０の内壁が当接するように折り畳まれて、全体が扁平の状態となる。この扁平状態では、各底面部３０，５０，７０，９０は、包装箱の内側に折り畳まれる。また、包装箱の非使用状態では、係合部５２及び係合部９２の各係合は解除され、底面部５０と底面部７０は離反すると共に、底面部９０と底面部３０も離反する。
【００１６】
この包装箱の非使用状態では、箱が嵩張らないので、運搬や保管に便利である。
そして、包装箱を組み立てるには、例えば使用者が、右側辺２４（角部３）と右側辺６４（角部５）に手を添えて、角部３と角部５が近づくよう内側に力を加える。そうすると、包装箱は扁平状態から、平面にて平行四辺形状態となり、さらに直方体形状となる。
【００１７】
この組み立ての過程において、底面部５０の突片５６は、底面部７０の凹部７７を通過しつつ底面部７０の表面（包装箱の内側）上に位置する。また、底面部７０の突片７９は、底面部５０の凹部５１を通過しつつ底面部５０の表面（包装箱の内側）上に位置する。そして、底面部５０の基端５４と底面部７０の基端７６が当接して位置決めがなされる（図２及び図３参照）。
【００１８】
また、同様に組み立ての過程において、底面部９０の突片９６は、底面部３０の凹部３７を通過しつつ底面部３０の表面（包装箱の内側）上に位置する。また、底面部３０の突片３９は、底面部９０の凹部９１を通過しつつ底面部９０の表面（包装箱の内側）上に位置する。そして、底面部９０の基端９４と底面部３０の基端３６が当接して位置決めがなされる。
【００１９】
そして、包装箱が組み立てられた状態では、底面部３０の下端辺３５と、底面部７０の下端辺７５とが、当接することとなる。
なお、突片５６の内側（基端５４寄り）の辺と、突片７９の内側（基端７６寄り）の辺同士が接触しつつ包装箱の組み立てがなされると共に、突片９６の内側（基端９４寄り）の辺と、突片３９の内側（基端３６寄り）の辺同士が接触しつつ包装箱の組み立てがなされるようであってもよい。
【００２０】
以上のように本実施形態の包装箱によれば、対向する底面部同士を係合するのではなく、隣接する底面部同士を係合して組み立て状態を保持するように構成した。したがって、包装箱の展開状態（図１）における底面部の先端（下端）側に係合用の細工を施す必要がなく、従来製品（図６）と比して紙材を節減できる。
【００２１】
すなわち、紙製包装箱を成形する場合、１枚の大形の原紙に対して、図１に示すような展開状態の包装箱を複数切り出して半製品を成形するのであるが、その際、長さ方向（図６における上下方向）に少しでも突部があると、その横方向の紙材も無駄になってしまう。ところが、本実施形態の包装箱は、包装箱の展開図における上下方向の長さを極力短くできたので、紙材（原料）の省力化を図ることができた。
【００２２】
また、底面部における係合箇所は、接合部を含めると、中央部よりも角部に近い４カ所であり、底面部全体にバランス良く配置されて保形性が良好となる。
なお、本実施形態では包装箱を折り畳んだ際に各底面部が各側面部側に扁平状に折り畳まれるように構成したが、各底面部が各側面部の外側に扁平状に突出するよう構成することもできる。この場合、各底面部における係合部材等の位置構成は、表裏逆の構成となる。
【００２３】
さらに、本実施形態における底面部の構成は、包装箱の天面部あるいは側面部に適用することもできる。
また、図１〜図４に示す実施形態における底面部の幅は、２対の側面部のうち、短辺を有する側面部の長さの２分の１に形成したが、図５に示すように、更に短く形成することもできる。この場合、組み立てられた包装箱の底面中央部には、穴部９が形成されることとなる。このような穴部が形成された包装箱は、例えば穴部９を内容物確認の窓部として利用したり、或いは中敷き等を施すことにより密閉された包装箱として利用することもできる。
【００２４】
【発明の効果】
本発明によれば、折り畳まれた状態から容易に組み立て可能な包装箱において、資材の省力化を図れる包装箱を提供することができる。
また、折り畳まれた状態から容易に組み立て可能な包装箱において、保形成の優れた包装箱を提供することが可能となった。
【図面の簡単な説明】
【図１】本発明の一実施形態における包装箱の展開図
【図２】実施形態における包装箱の組み立て過程における平面図
【図３】実施形態における包装箱を組み立てた状態の平面図
【図４】実施形態における包装箱を組み立てた状態の底面（裏面）図
【図５】実施形態における他の例の包装箱を組み立てた状態の平面図
【図６】従来例の包装箱の展開図
【図７】従来例の包装箱を組み立てた状態の平面図
【図８】従来例の包装箱を組み立てた状態の底面（裏面）図
【符号の説明】
３、５    角部
２０，４０，６０，８０    側面部
３０，５０，７０，９０    底面部
３２，７２    接合部
３３，７３    折目線
３５，５５，７５，９５    端辺
３７，７７    凹部
３９，７９    突片
５１，９１    凹部
５２，９２    係合部
５４，９４    基端
５６，９６    突片
【図１】
2005015025.tif 000003
【図２】
2005015025.tif 000004
【図３】
2005015025.tif 000005
【図４】
2005015025.tif 000006
【図５】
2005015025.tif 000007
【図６】
2005015025.tif 000008
【図７】
2005015025.tif 000009
【図８】
2005015025.tif 000010